【手続補正書】
【提出日】平成17年4月21日(2005.4.21)
【手続補正１】
【補正対象書類名】明細書
【補正対象項目名】特許請求の範囲
【補正方法】変更
【補正の内容】
【特許請求の範囲】
【請求項１】
発光素子を有する複数の画素と、ｎビット（ｎは自然数）のデジタルビデオ信号のうちいずれか１ビットのデジタルビデオ信号を前記複数の画素それぞれに出力する信号線駆動回路とを有し、
１フレーム期間に設けられたｍ個（ｍはｎより大きい自然数）の表示期間それぞれにおいて、前記信号線駆動回路は前記ｎビットのデジタルビデオ信号のうちいずれか１ビットのデジタルビデオ信号を前記複数の画素それぞれに出力し、
前記複数の画素それぞれにおいて、入力されたデジタルビデオ信号に応じて前記発光素子の発光が制御され、
前記ｍ個の表示期間のうち少なくとも前記ｎビットのデジタルビデオ信号の最上位ビットに対応する表示期間は複数存在し、
前記ｍ個の表示期間のうち、前記ｎビットのデジタルビデオ信号のｋビット目（ｋは２以上ｎ以下の自然数）に対応する表示期間の数は、前記ｋビット目よりも１つ上位ビットに対応する表示期間の数以下であることを特徴とする発光装置。
【請求項２】
発光素子を有する複数の画素と、ｎビット（ｎは自然数）のデジタルビデオ信号のうちいずれか１ビットのデジタルビデオ信号を前記複数の画素それぞれに出力する信号線駆動回路とを有し、
１フレーム期間に設けられたｍ個（ｍはｎより大きい自然数）の表示期間それぞれにおいて、前記信号線駆動回路は前記ｎビットのデジタルビデオ信号のうちいずれか１ビットのデジタルビデオ信号を前記複数の画素それぞれに出力し、
前記複数の画素それぞれにおいて、入力されたデジタルビデオ信号に応じて前記発光素子の発光が制御され、
前記ｍ個の表示期間のうち少なくとも前記ｎビットのデジタルビデオ信号の最上位ビットに対応する表示期間は３つ以上存在し、
前記ｍ個の表示期間のうち、前記ｎビットのデジタルビデオ信号のｋビット目（ｋは２以上ｎ以下の自然数）に対応する表示期間の数は、前記ｋビット目よりも１つ上位ビットに対応する表示期間の数以下であることを特徴とする発光装置。
【請求項３】
第１のＴＦＴ、第２のＴＦＴ、第３のＴＦＴ及び発光素子を有する複数の画素と、複数の信号線と、電源線と、ｎビット（ｎは自然数）のデジタルビデオ信号のうちいずれか１ビットのデジタルビデオ信号を前記複数の信号線それぞれに出力する信号線駆動回路とを有し、
前記発光素子は、一対の電極と前記一対の電極に挟持された電界発光層とを有し、
前記電源線には所定の電位が与えられ、
前記複数の信号線は、前記第１のＴＦＴのソースまたはドレインの一方に接続され、他方は前記第２のＴＦＴのゲート電極に接続され、
前記第２のＴＦＴのソースまたはドレインの一方は前記電源線に接続され、他方は前記発光素子の一対の電極のうち一方に接続され、
前記第３のＴＦＴのソースまたはドレインの一方は前記第２のＴＦＴのゲート電極に接続され、他方は前記電源線に接続され、
１フレーム期間中に設けられたｍ個（ｍはｎより大きい自然数）の表示期間それぞれにおいて、前記信号線駆動回路は前記ｎビットのデジタルビデオ信号のうちいずれか１ビットのデジタルビデオ信号を前記複数の信号線それぞれに出力し、
前記ｍ個の表示期間のうち、少なくとも前記ｎビットのデジタルビデオ信号の最上位ビットに対応する表示期間は複数存在し、
前記ｍ個の表示期間のうち、前記ｎビットのデジタルビデオ信号のｋビット目（ｋは２以上ｎ以下の自然数）に対応する表示期間の数は、前記ｋビット目よりも１つ上位ビットに対応する表示期間の数以下であることを特徴とする発光装置。
【請求項４】
第１のＴＦＴ、第２のＴＦＴ及び発光素子を有する複数の画素と、複数の信号線と、電源線と、ｎビット（ｎは自然数）のデジタルビデオ信号のうちいずれか１ビットのデジタルビデオ信号を前記複数の信号線それぞれに出力する信号線駆動回路とを有し、
前記発光素子は、一対の電極と前記一対の電極に挟持された電界発光層とを有し、
前記電源線には所定の電位が与えられ、
前記複数の信号線は、前記第１のＴＦＴのソースまたはドレインの一方に接続され、他方は前記第２のＴＦＴのゲート電極に接続され、
前記第２のＴＦＴのソースまたはドレインの一方は前記電源線に接続され、他方は前記発光素子の一対の電極のうち一方に接続され、
１フレーム期間中に設けられたｍ個（ｍはｎより大きい自然数）の表示期間それぞれにおいて、前記信号線駆動回路は前記ｎビットのデジタルビデオ信号のうちいずれか１ビットのデジタルビデオ信号を前記複数の信号線それぞれに出力し、
前記ｍ個の表示期間のうち、少なくとも前記ｎビットのデジタルビデオ信号の最上位ビットに対応する表示期間は複数存在し、
前記ｍ個の表示期間のうち、前記ｎビットのデジタルビデオ信号のｋビット目（ｋは２以上ｎ以下の自然数）に対応する表示期間の数は、前記ｋビット目よりも１つ上位ビットに対応する表示期間の数以下であることを特徴とする発光装置。
【請求項５】
請求項１乃至請求項４のいずれか１項において、
前記ｋビット目に対応する表示期間は複数あり、
前記ｋビット目に対応する複数の表示期間の間の表示期間に、前記ｋビット目よりも１つ上位ビットに対応する表示期間が少なくとも１つ存在していることを特徴とする発光装置。
【請求項６】
請求項１乃至請求項５のいずれか１項において、前記発光素子がＯＬＥＤであることを特徴とする発光装置。
【請求項７】
発光素子を有する画素が複数設けられ、
１フレーム期間にｍ個（ｍは自然数）の表示期間が出現し、
前記ｍ個の表示期間は、ｎビット（ｎはｍ未満の自然数）のデジタルビデオ信号のうちいずれか１ビットにそれぞれ対応しており、
前記ｍ個の表示期間のうち、少なくとも前記ｎビットのデジタルビデオ信号の最上位ビットに対応している表示期間は複数存在しており、
前記ｍ個の表示期間のうち、前記ｎビットのデジタルビデオ信号のｋビット目（ｋは２以上ｎ以下の自然数）に対応する表示期間の数は、前記ｋビット目よりも１つ上位ビットに対応する表示期間の数以下であり、
前記ｎビットのデジタルビデオ信号によって、前記発光素子の発光が制御されることを特徴とする発光装置の駆動方法。
【請求項８】
発光素子を有する画素が複数設けられ、
１フレーム期間にｍ個（ｍは自然数）の表示期間が出現し、
前記ｍ個の表示期間は、ｎビット（ｎはｍ未満の自然数）のデジタルビデオ信号のうちいずれか１ビットにそれぞれ対応しており、
前記ｍ個の表示期間のうち、少なくとも前記ｎビットのデジタルビデオ信号の最上位ビットに対応している表示期間は３つ以上存在しており、
前記ｍ個の表示期間のうち、前記ｎビットのデジタルビデオ信号のｋビット目（ｋは２以上ｎ以下の自然数）に対応する表示期間の数は、前記ｋビット目よりも１つ上位ビットに対応する表示期間の数以下であり、
前記ｎビットのデジタルビデオ信号によって、前記発光素子の発光が制御されることを特徴とする発光装置の駆動方法。
【請求項９】
第１のＴＦＴ、第２のＴＦＴ、第３のＴＦＴ及び発光素子を有する画素が複数設けられ、
１フレーム期間にｍ個（ｍは自然数）の表示期間が出現し、
前記ｍ個の表示期間は、ｎビット（ｎはｍ未満の自然数）のデジタルビデオ信号のうちいずれか１ビットにそれぞれ対応しており、
前記ｍ個の表示期間のうち、少なくとも前記ｎビットのデジタルビデオ信号の最上位ビットに対応している表示期間は複数存在しており、
前記ｍ個の表示期間のうち、前記ｎビットのデジタルビデオ信号のｋビット目（ｋは２以上ｎ以下の自然数）に対応する表示期間の数は、前記ｋビット目よりも１つ上位ビットに対応する表示期間の数以下であり、
前記ｍ個の表示期間のそれぞれは、前記第１のＴＦＴがオンになり対応するビットの前記デジタルビデオ信号が前記第２のＴＦＴのゲートに入力され、なおかつ前記第３のＴＦＴがオフでになることで開始され、
前記ｍ個の表示期間のそれぞれは、前記ｍ個の表示期間のうちの、他の表示期間が開始されるか、もしくは前記第３のＴＦＴがオンになることで終了し、
前記第２のＴＦＴがオンになると前記発光素子が発光し、オフになると発光しないことを特徴とする発光装置の駆動方法。
【請求項１０】
第１のＴＦＴ、第２のＴＦＴ及び発光素子を有する画素が複数設けられ、
１フレーム期間にｍ個（ｍは自然数）の表示期間が出現し、
前記ｍ個の表示期間は、ｎビット（ｎはｍ未満の自然数）のデジタルビデオ信号のうちいずれか１ビットにそれぞれ対応しており、
前記ｍ個の表示期間のうち、少なくとも前記ｎビットのデジタルビデオ信号の最上位ビットに対応している表示期間は複数存在しており、
前記ｍ個の表示期間のうち、前記ｎビットのデジタルビデオ信号のｋビット目（ｋは２以上ｎ以下の自然数）に対応する表示期間の数は、前記ｋビット目よりも１つ上位ビットに対応する表示期間の数以下であり、
前記ｍ個の表示期間のそれぞれは、前記第１のＴＦＴがオンになり対応するビットの前記デジタルビデオ信号が前記第２のＴＦＴのゲートに入力されることで開始され、
前記ｍ個の表示期間のそれぞれは、前記ｍ個の表示期間のうちの他の表示期間が開始されることで終了し、
前記第２のＴＦＴがオンになると前記発光素子が発光し、オフになると発光しないことを特徴とする発光装置の駆動方法。
【請求項１１】
請求項７乃至請求項１０のいずれか１項において、
前記ｋビット目に対応する表示期間は複数あり、
前記ｋビット目に対応する複数の表示期間の間の表示期間に、前記ｋビット目よりも１つ上位ビットに対応する表示期間が少なくとも１つ存在していることを特徴とする発光装置の駆動方法。
【請求項１２】
請求項７乃至請求項１１のいずれか１項において、
前記ｍ個の表示期間は、前記ｎビットのデジタルビデオ信号の同じビットに対応している複数の表示期間を全て加算すると、表示期間または前記加算された表示期間の長さの比が、上位ビットから順に、２n-1：２n-2：…：２1：２0となることを特徴とする発光装置の駆動方法。
【請求項１３】
請求項７乃至請求項１２のいずれか１項において、前記発光素子がＯＬＥＤであることを特徴とする発光装置の駆動方法。